(57)【要約】【課題】  クラブの出し入れが容易であり、文字や図形等を表示できるスペースを広く確保できる表示スペースをも確保できるヘッドカバーを提供する。【解決手段】  ヘッド被覆部のソール保護部、クラウン保護部、フェース保護部、バック保護部のいずれかの保護部の境界付近又は境界線上に開口部があり、開口部はヘッド被覆部の頂部付近からシャフト被覆部の下端まで、境界に沿って連続開口されており、横に広げてクラブを出し入れすることができ、開閉具により閉塞可能なヘッドカバーである。【選択図】  図１
2018153439.tif 000002
【特許請求の範囲】
【請求項１】
ゴルフクラブのヘッドに被せてヘッドを保護することのできるヘッド被覆部と、ヘッドに装着されているシャフトに被せてシャフトを保護することのできるシャフト被覆部が連続するゴルフクラブ用のヘッドカバーにおいて、
ヘッド被覆部のソール保護部、クラウン保護部、フェース保護部、バック保護部のいずれかの保護部の境界付近又は境界線上に開口部があり、
開口部はヘッド被覆部の頂部付近からシャフト被覆部の下端まで、境界に沿って連続開口されており、横に広げてクラブを出し入れすることができ、開閉具により閉塞可能である、
ことを特徴とするゴルフクラブ用ヘッドカバー。
【請求項２】
請求項１記載のゴルフクラブ用ヘッドカバーにおいて、
ソール保護部、クラウン保護部、フェース保護部、バック保護部のいずれかの保護部の内面に、ポケットを備えた、
ことを特徴とするゴルフクラブ用ヘッドカバー。
【発明の詳細な説明】
【技術分野】
【０００１】
本発明はゴルフクラブ用ヘッドカバー（以下、単に「ヘッドカバー」という。）に関するものである。
【背景技術】
【０００２】
ゴルフクラブ（以下、単に「クラブ」という。）にはウッドクラブ、アイアンクラブ、ユーティリティクラブ、パターをはじめとする各種クラブがある。ヘッドカバーはクラブヘッド（以下、単に「ヘッド」という。）からシャフトの取付け部（ネック付近）にかけて被せて、ヘッド及びシャフトの取付け部付近を保護するものが一般的である。
【０００３】
本件出願人は、本件出願以前に種々のヘッドカバーを提案した（特許文献１〜５）。特許文献１のヘッドカバーは、ソール被覆部にヘッド出し入れ口が設けられたもの、特許文献２のヘッドカバーは、一部を非伸縮性材料で構成するとともに、他の部分を伸縮性材料で構成したもの、特許文献３のヘッドカバーは、ヘッドカバーの一部に名札入れを設けたもの、特許文献４のヘッドカバーは、カバーの全部又は一部に視認用の透明窓を設けたものである。特許文献５のヘッドカバーは、カバーの表裏面を裏返しにして使い分けることができるリバーシブルタイプのものである。
【先行技術文献】
【特許文献】
【０００４】
【特許文献１】特開２０１５−０３９５３１号公報
【特許文献２】特開２００８−０６８０６９号公報
【特許文献３】特開２００７−３３０７２５号公報
【特許文献４】特開２００７−１８５５２０号公報
【特許文献５】特開２０１６−２０２７４５号公報
【発明の概要】
【発明が解決しようとする課題】
【０００５】
本発明は、ヘッドからシャフト取付け部付近までに被せて、それらを保護することができ、クラブの出し入れが容易であり、広告用の文字や図形等を表示できるスペース（広告スペース）を広く確保でき、その他の文字や図形等を表示可能な表示スペースをも確保できるヘッドカバーを提供することにある。
【課題を解決するための手段】
【０００６】
本発明のヘッドカバーは、クラブのヘッドに被さるヘッド被覆部と、ヘッドに装着されているシャフトの取付け部付近に被さるシャフト被覆部が連続するヘッドカバーである。ヘッド被覆部は少なくとも、ヘッドのソール部分を保護するソール保護部と、ヘッドのクラウン部分を保護するクラウン保護部と、ヘッドのフェース部分を保護するフェース保護部と、フェース保護部と反対側の部分（バック部分）を保護するバック保護部を備えている。隣接するソール保護部とクラウン保護部とフェース保護部とバック保護部のうち隣接する周縁部（境界）は連続しており、それら隣接部のうち一箇所の境界付近又は境界線上に開口部がある。開口部は境界に沿って開口されており、開口部を開くとクラブを出し入れでき、開口部を閉じるとクラブが抜け落ちないようにしてある。
【０００７】
開口部はヘッド被覆部の頂部付近からシャフト被覆部の下端までスリット状に連続開口されており、その全長に亘って開閉可能である。開口部は磁石、ジッパー（ファスナー）、面ファスナー、ボタン等の開閉具で開閉可能としてある。
【発明の効果】
【０００８】
本発明のヘッドカバーは次の効果を奏する。
（１）開口部がヘッド被覆部の頂部からシャフト被覆部の下端まで、境界に沿って又は境界線上を横に開くので、開口面積が広くなり、クラブの出し入れが容易になる。
（２）開口部が境界付近又は境界線上に、当該境界に沿って設けられているので、ソール保護部、クラウン保護部、フェース保護部、バック保護部のいずれの保護部も、開口部によって横幅方向に二分されることがない。そのため、それら保護部の全面又は略全面に広い表示スペースを確保でき、それら表示スペースを、クラブメーカーのブランドやロゴマーク、その他の広告文等を表示する広告スペース（コマーシャルスペース）として利用することができる。また、ヘッドカバーの各保護部の内面にも表示スペースが確保され、その内面表示スペースに所望の図形や文字を表示することもできる。
（３）開口部を開閉具で閉じることができるため、開口部からのクラブの露呈や飛び出しを防止することができ、クラブの傷付きを防止することもできる。
（４）ポケットがあるため、使い捨てカイロや、香料袋等を入れておくことができる。
【図面の簡単な説明】
【０００９】
【図１】本発明のヘッドカバーの開口部磁石式にした例の斜視図。
【図２】図１のヘッドカバーの開口部を開いた状態の斜視図。
【図３】図１のヘッドカバーにクラブを入れた状態を示す説明図。
【図４】図１のヘッドカバーにクラブを入れてから開口部を閉じた状態を示す説明図。
【図５】（ａ）は図１のヘッドカバーのクラウン側斜視図、（ｂ）は（ａ）のヘッドカバーの横断面外観図。
【図６】本発明のヘッドカバーの開口部をファスナー式にした例の斜視図。
【図７】図５のヘッドカバーの開口部を開いた状態の斜視図。
【図８】図５のヘッドカバーにクラブを入れた状態を示す説明図。
【図９】図５のヘッドカバーにクラブを入れてから開口部を閉じた状態を示す説明図。
【図１０】図１のヘッドカバーの内面にポケットを付けた状態の斜視図。
【図１１】図１０のヘッドカバーの開口部を閉じた状態の外観図。
【図１２】（ａ）は本発明のヘッドカバーであってフェース面を開いた状態の外観図、（ｂ）は（ａ）のヘッドカバーの横断面外観図。
【発明を実施するための形態】
【００１０】
（実施形態１）
本発明のヘッドカバー１の一例を図に示す。図１のヘッドカバー１はヘッド被覆部２とシャフト被覆部３が連続するヘッドカバーである。ヘッド被覆部２はクラブＡ（図３）のヘッドＢを保護することができ、シャフト被覆部３はヘッドＡに装着されているシャフトＣの少なくとも取付け部分Ｄを保護することができる。シャフト被覆部３はヘッド被覆部２側から次第に細くなっている。
【００１１】
ヘッド被覆部２は、図５（ｂ）のように、ヘッドＢの底面（ソール）Ｅを保護するソール保護部４と、ヘッドＢの上面（クラウン）Ｆを保護するクラウン保護部５と、ヘッドＢの打面（フェース）Ｇを保護するフェース保護部６と、ヘッドＢの背面（バック）Ｈを保護するバック保護部７を備えている。フェース保護部６には開口部８（図２）がある。
【００１２】
図５（ａ）（ｂ）に示すように、ソール保護部４の右側周縁部４ａとバック保護部７の下方周縁部７ａは互いに連続し、バック保護部７の上方周縁部７ｂとクラウン保護部５の右側周縁部５ａは互いに連続し、クラウン保護部５の左側周縁部５ｂとフェース保護部６の上方周縁部６ａは互いに連続している。ソール保護部４の開口周縁部４ｂとフェース保護部６の開口周縁部６ｂは連結されずに開閉可能な開口部８としてある。開口部８は図２のように、フェース保護部６の頂部（連結部）Ｐ（図２、図３）付近からシャフト保護部３の下端開口部３ａまで一連に開口されている。開口部８を設けることにより、図２のフェース保護部６を横に開いてヘッドカバー１内にクラブＡを出し入れ可能としてある。
【００１３】
前記連続部分（各保護部の境界）にはパイピング材９を、開口部８の両側周縁部と下端開口部３ａにはモール材（縁取り材）１０を取り付けてある。パイピング材９は汎用のものであり、細長い線状であり、金色、銀色といった各種色彩、材質、形状、サイズのものがある。パイピング材９は樹脂製の細長いパイプ状であり、可撓性がある。縁取り材１０にも金色、銀色といった各種色彩、材質、形状、サイズのものがある。パイピング材９、縁取り材１０には任意の色彩、材質、形状、サイズのものを選択使用することができる。境界にパイピング材９を取り付けることによりソール保護部４、クラウン保護部５、フェース保護部６、バック保護部７が型崩れしにくくなり、装飾にもなる。開口部８の周縁部に縁取り材１０を取り付けることにより周縁部も型崩れしにくくなり、装飾にもなる。下端開口部３ａに縁取り材１０を取り付けることにより下端開口部３ａも型崩れしにくくなり、装飾にもなる。
【００１４】
開口部８の周縁部に取付けた縁取り材１０（図２）の内部軸方向数箇所には磁石１１（図１）が内包されている。開口部８を閉じると対向する両磁石１１が吸着し合って開口部８が閉じた状態に保持され、開口部８を強制的に開くと両磁石１１の吸着が離れるようにしてある。磁石１１は縁取り材１０の軸方向全長に設けることもできる。
【００１５】
開口部８のフェース保護部６側の縁取り材１０には摘み１２（図２）を取り付けて、フェース保護部６を開口部８から開くときに摘み１２を摘んで開くことができるようにしてある。
【００１６】
（実施形態２）
本発明のヘッドカバー１の実施例２を図６〜図９に示す。これらヘッドカバー１は基本的構成において図１〜図５（ａ）（ｂ）のヘッドカバー１と同じである。異なるのは開口部８（図７）をソール保護部４であって、フェース保護部６との境界の直近に境界に沿って設けて、ソール保護部４を図８のように側方（横）に開くことができるようにしたこと、開口部８の両縁にファスナー２０を取り付けて、ファスナー２０の開閉操作によりソール保護部４が開口部８から側方に開閉するようにしたことである。図６〜図９のヘッドカバー１も境界にパイピング材９を、開口部８の両周縁及び下端開口部３ａに縁取り材１０を取り付けてある。
【００１７】
（実施形態３）
本発明のヘッドカバー１の実施例３を図１０、図１１に示す。これらヘッドカバー１は基本的構成において図１〜図５（ａ）（ｂ）のヘッドカバー１と同じである。異なるのはフェース保護部６の内面に小物入れ（ポケット）２１（図１０）を設けたことである。ポケット２１は上方開口にして、その開口部からポケット２１内に保温材（俗称：使い捨てカイロ）、香料袋、その他のものを出し入れできるようにしてある。使い捨てカイロを収容しておけば、フェース保護部６を閉じたときにクラブのフェースを加温することができ、香料袋を入れておけば、フェース保護部６を開くと香料の匂いが漂う。ポケット２１には蓋を設けるとか、止め具を設ける等して、収容物が落下しないようにするのがよい。ポケット２１はシャフト保護部３、ソール保護部４、クラウン保護部５、バック保護部７のいずれの内面に設けてもよい。
【００１８】
（実施形態４）
本発明のヘッドカバー１の実施例４として、図１２（ａ）（ｂ）に示すものは、クラウン保護部５の下方部分の背丈を次第に低くしてバック保護部７としてある。フェース保護部６の下方周縁部６ｃはソール保護部４のフェース側周縁部４ｃと連続し、フェース保護部６の上方周縁部６ａと、クラウン保護部５の前縁部５ｃは連結されることなく開口して、前記上方周縁部６ａと前縁部５ｃの間が開口部８となっており、その開口部８からフェース保護部６を下方に開くことができるようにしてある。この場合も、境界にパイピング材９を取り付け、開口部８及び下端開口部３ａに縁取り材１０を取り付けてある。開口部８の両周縁部の縁取り材１０に磁石１１を入れて両磁石１１が互いに吸着されるようにしてある。
【００１９】
（実施形態５）
図１では開口部８が図２のようにフェース保護部６に、図６では図８のようにソール保護部４に設けてあるが、開口部８は他の箇所、例えば境界線上、クラウン保護部５又はバック保護部７に設けることもできる。いずれの保護部に設ける場合も境界に沿って境界の直近に設けるか、境界線上に設けると、開口部８の開口面積が広くなって、クラブの出し入れが容易になる。
【００２０】
前記実施形態では開閉具として磁石１１を用いる場合を一例としているが、開閉具には、面ファスナーやファスナー、ボタンなど、磁石以外のものを用いることもできる。
【産業上の利用可能性】
【００２１】
前記したヘッドカバー１はウッドクラブ用であるが、ユーティリティクラブ用、アイアンクラブ用、パター用のヘッドカバーに応用することもできる。カバーはいずれのクラブ用であっても被せるクラブの形状にあった形状とする。カバーの材質もクラブの保護に適し、取り扱い易いものとする。
【符号の説明】
【００２２】
１    ヘッドカバー
２    ヘッド被覆部
３    シャフト被覆部
３ａ  （シャフト保護部の）下端開口部
４    ソール保護部
４ａ  （ソール保護部の）右側周縁部
４ｂ  （ソール保護部の）開口周縁部
４ｃ  （ソール保護部の）フェース側周縁部
５    クラウン保護部
５ａ  （クラウン保護部の）右側周縁部
５ｂ  （クラウン保護部の）左側周縁部
５ｃ  （クラウン保護部の）前縁部
６    フェース保護部
６ａ  （フェース保護部の）上方周縁部
６ｂ  （フェース保護部の）開口周縁部
６ｃ  （フェース保護部の）下方周縁部
７    バック保護部
７ａ  （バック保護部の）下方周縁部
７ｂ  （バック保護部の）上方周縁部
８    開口部
９    パイピング材
１０  モール材（縁取り材）
１１  磁石
１２  摘み
２０  ファスナー
２１  小物入れ（ポケット）
Ａ    クラブ
Ｂ    ヘッド
Ｃ    （ヘッドの）シャフト
Ｄ    （シャフトの）取付け部分
Ｅ    （ヘッドの）ソール
Ｆ    （ヘッドの）クラウン
Ｇ    （ヘッドの）フェース
Ｈ    （ヘッドの）バック
Ｐ    （フェース保護部の）頂部（連結部）
【図１】
2018153439.tif 000003
【図２】
2018153439.tif 000004
【図３】
2018153439.tif 000005
【図４】
2018153439.tif 000006
【図５】
2018153439.tif 000007
【図６】
2018153439.tif 000008
【図７】
2018153439.tif 000009
【図８】
2018153439.tif 000010
【図９】
2018153439.tif 000011
【図１０】
2018153439.tif 000012
【図１１】
2018153439.tif 000013
【図１２】
2018153439.tif 000014
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
ゴルフクラブのヘッドに被せてヘッドを保護することのできるヘッド被覆部と、ヘッドに装着されているシャフトに被せてシャフトを保護することのできるシャフト被覆部が連続するゴルフクラブ用のヘッドカバーにおいて、
ヘッド被覆部にソール保護部、クラウン保護部、フェース保護部、バック保護部があり、いずれか二以上の保護部の境界付近又は境界線上に開口部があり、
開口部はヘッド被覆部の頂部付近からシャフト被覆部の下端まで、境界に沿って連続開口されており、横に広げてクラブを出し入れすることができ、開閉具により閉塞可能である、
ことを特徴とするゴルフクラブ用ヘッドカバー。
【請求項２】
請求項１記載のゴルフクラブ用ヘッドカバーにおいて、
ソール保護部、クラウン保護部、フェース保護部、バック保護部のいずれかの保護部の内面に、ポケットを備えた、
ことを特徴とするゴルフクラブ用ヘッドカバー。